(57)【要約】【課題】従来の骨固定用プレートにおいては、骨を把持した部分の両側に渡るように骨固定用プレートが配置できない、という課題があった。また、骨を把持している部分において、ねじ等で骨に留めることができない、という課題があった。【解決手段】骨固定用プレート１００が、この骨固定用プレート１００を骨に留めるためのねじ穴等として用いられる貫通孔を二つ以上有しており、この貫通孔の少なくとも一つを、骨固定用プレート１００の外周に開口している第一貫通孔１０とした。【選択図】図１
2006346322.tif 000002
【特許請求の範囲】
【請求項１】
２以上の貫通孔を有する骨固定用プレートであって、
前記貫通孔のうちの１つ以上が、前記骨固定用プレートの外周に開口している骨固定用プレート。
【請求項２】
前記外周に開口している貫通孔は、前記外周に近接した位置に設けられている請求項１記載の骨固定用プレート。
【請求項３】
前記外周に開口している貫通孔を、２以上有し、
当該外周に開口している貫通孔同士は、前記骨固定用プレートの長手方向に対して垂直な方向において、同一直線上に位置しないよう設けられている請求項１または請求項２いずれか記載の骨固定用プレート。
【請求項４】
前記貫通孔は、ねじ穴である請求孔１から請求項３いずれか記載の骨固定用プレート。
【発明の詳細な説明】
【技術分野】
【０００１】
本発明は、骨を固定するために用いられる骨固定用プレートに関するものである。
【背景技術】
【０００２】
従来、骨折した骨を固定するためのプレートである骨固定用プレートとして、２以上のねじ穴を有する骨固定用プレートがあった（例えば、特許文献１参照）。通常、骨折した骨等の固定は、鉗子等で骨を把持した後、このような骨固定用プレートを骨に沿って配置し、ねじ穴を通じてドリル等を使って骨にねじを通すための穴を開け、この開けた穴にねじ穴を介してねじをはめ込んで骨固定用プレートを骨にねじ留めすることで行われていた。
【特許文献１】特表２００３−５１６１６７号公報（第１頁、第１図等）
【発明の開示】
【発明が解決しようとする課題】
【０００３】
しかしながら、従来の骨固定用プレートにおいては、鉗子等が骨を把持している部分が障害となり、骨を把持した部分の両側に渡るように骨固定用プレートが配置できない、という課題があった。このため、骨固定用プレートを配置する場所が、骨を把持していない箇所に制限され、骨固定用プレートを配置するのに最も適した位置に、骨固定用プレートを配置できない場合があった。また、骨固定用プレートを所望の位置に配置するためには、骨を把持する位置を考慮しなければならず、作業性が非常に悪い場合があった。
【０００４】
また、通常、鉗子等で骨を把持している部分が、骨固定用プレートのねじ留めに適している部分であることが多く、骨を把持している部分において骨固定用プレートのねじ留めを行うことが望まれる。しかしながら、前記のような骨固定用プレートでは、骨を把持した状態で、骨を把持している部分にねじ穴を配置することはできないため、骨を把持した位置でねじ留めを行うことができない、という課題があった。
【課題を解決するための手段】
【０００５】
本発明にかかる骨固定用プレートは、２以上の貫通孔を有する骨固定用プレートであって、前記貫通孔のうちの１つ以上が、前記骨固定用プレートの外周に開口している骨固定用プレートである。
かかる構成により、骨固定用プレートを、骨を把持した部分の両側をわたるように配置することが可能となる。また、骨を把持した位置で、骨固定用プレートを骨に留めることが可能となる。
【０００６】
また、本発明にかかる骨固定用プレートは、前記外周に開口している貫通孔は、前記外周に近接した位置に設けられているようにした骨固定用プレートである。
かかる構成により、骨固定用プレートの強度を保つことができる。
【０００７】
また、本発明にかかる骨固定用プレートは、前記外周に開口している貫通孔を、２以上有し、当該外周に開口している貫通孔同士は、前記骨固定用プレートの長手方向に対して垂直な方向において、同一直線上に位置しないよう設けられているようにした骨固定用プレートである。
かかる構成により、骨固定用プレートの強度を保つことができる。
【０００８】
また、本発明にかかる骨固定用プレートは、前記貫通孔は、ねじ穴である骨固定用プレートである。
かかる構成により、骨を把持した位置で、骨固定用プレートを骨にねじ留めすることが可能となる。
【発明の効果】
【０００９】
本発明による骨固定用プレートによれば、骨固定用プレートを、骨を把持した部分の両側をわたるように配置することが可能となる。
また、本発明による骨固定用プレートによれば、骨を把持した位置で、骨固定用プレートを骨に留めることが可能となる。
【発明を実施するための最良の形態】
【００１０】
以下、骨固定用プレート等の実施形態について図面を参照して説明する。なお、実施の形態において同じ符号を付した構成要素は同様の動作を行うので、再度の説明を省略する場合がある。
【００１１】
図１は本実施の形態に係る骨固定用プレートの構成を示す平面図である。また、図２は本実施の形態に係る骨固定用プレートの構成を示す斜視図である。
骨固定用プレート１００は、骨を固定するために用いられる板状の部材である。骨固定用プレート１００は、骨を固定するために必要な強度を有していれば、材料は問わない。骨固定用プレート１００の材料は、例えば、金属、特に、腐食しにくいステンレス等の金属や、セラミックス等の非金属等である。骨固定用プレート１００の平面形状は、矩形形状、多角形形状、円形形状、１以上の折れ曲がりを有するストライプ形状等、どのような形状であってもよく、骨を固定したい形状にあった形状であればよい。骨固定用プレートの１００の厚さは問わない。通常、骨固定用プレート１００の厚さは、骨固定用プレート１００に用いられる材料の強度や、脆性に基づいて決定される。また、骨固定用プレート１００の厚さ方向の形状も問わない。例えば、骨固定用プレート１００は完全な平面形状であってもよいし、骨の形状に沿うように湾曲していてもよい。骨固定用プレート１００は、第一貫通孔１０および第二貫通孔２０を有している。ここでは、特に、４つの第一貫通孔１０と、２つの第二貫通孔２０とを有している場合について説明する。
【００１２】
第一貫通孔１０は、骨固定用プレート１００を骨に留めるためのピンやねじ等の骨固定用プレート１００を骨に留めるための部材をはめ込むための穴である穴部１１を有するとともに、骨固定用プレート１００の外周に対して開口している部分である開口部１２を有している。第一貫通孔１０は、例えばねじ穴である。穴部１１の平面形状および大きさは、この穴部１１を通したピンやねじ等により、骨に骨固定用プレートを留めることができる平面形状および大きさを有していればよい。穴部１１の平面形状は、例えば、円形、楕円形、四角形等、どのような形状であってもよい。また、例えば、穴部１１の大きさは、ピンの軸や、ねじ等のねじ山を有する軸を通すことができる大きさであって、ピンやねじ等の頭の部分が通らない大きさであればよい。また、穴部１１に、ねじのねじ山に嵌合するねじ溝を設けるようにし、穴部１１の大きさを、ねじのねじ山を有する部分と嵌合する大きさとしてもよい。このような構成とすることで、頭のないねじ、いわゆる止めねじ等で、骨固定用プレート１００を固定することも可能となる。なお、ここで述べるねじとは、ねじ山を有するもののことであり、ボルトも含む概念である。また、ねじ穴とは、ねじを通すことのできる穴であり、その穴の側面に、ねじ山に嵌合するねじ溝を有していても、ねじ溝を有していなくてもよい。骨固定用プレート１００の外周に対して開口している部分である開口部１２は、少なくとも骨を把持する鉗子等の骨と接する部分が通過可能であれば、その大きさおよび形状は問わない。例えば、矩形であってもよい。また、開口部１２は、骨固定用プレート１００の外周に向かって幅が広がっている形状であってもよい。特にこのような外周に向かって幅が広がっている形状とすることで、骨を挟んだ鉗子の先端を穴部１１に通しやすくすることができる。ただし、開口部１２は、穴部１１に通したピンやねじ等が、この開口部１２を通過しないような大きさおよび形状であることが好ましい。具体的には、開口部１２の幅は、穴部１１の幅以下の幅であることが好ましい。なお、骨固定用プレート１００の外周とは、例えば、骨固定用プレート１００が多角形であれば、その辺や、角の部分のことであり、骨固定用プレート１００が円形や、楕円形であれば、その円周である。なお、ここでは、穴部１１と骨固定用プレート１００の外周とをつなぐ切り込み状の開口部１２を設けているが、例えば、図３に示すように、第一貫通孔３０の穴部３１を骨固定用プレート１００の外周上に一部がかかるような位置に配置して、穴部３１の、骨固定用プレート１００の外周により切り欠かれた部分が、開口部３２となるようにしてもよい。なお、図３は、図１の第一貫通孔１０の近傍に相当する図である。第一貫通孔１０の数や、配置は問わない。ただし、骨固定用プレート１００の強度を保つ上で、骨固定用プレート１００の外周に近接した部分に第一貫通孔１０を設けることが好ましい。第一貫通孔１０が、骨固定用プレート１００の外周から離れた位置に配置されると、穴部１１と骨固定用プレート１００の外周とをつなぐ開口部１２の距離が長くなり、その分、骨固定用プレート１００の強度が落ちるからである。また、骨固定用プレート１００が所定幅のストライプ形状や、楕円形状等であり、複数の第一貫通孔１０を備えている場合、第一貫通孔１０同士は、図１に示すように、骨固定用プレート１００の長手方向に対して垂直な方向において、同一直線上に位置しないよう設けられていることが好ましい。第一貫通孔１０同士が、骨固定用プレート１００の長手方向に対して垂直な方向において、同一直線上に位置するよう設けられていると、第一貫通孔１０同士で挟まれた部分の幅が狭くなり、その部分の強度が落ちるからである。
【００１３】
第二貫通孔２０は、骨固定用プレート１００を骨に留めるためのピンやねじ等の骨固定用プレート１００を骨に留めるための部材をはめ込むための穴を有する。第二貫通孔２０は、例えば、ねじ穴である。第二貫通孔２０の平面形状は、この第二貫通孔２０を通したピンやねじ等により、骨に骨固定用プレートを留めることができる平面形状および大きさを有していればよい。第二貫通孔２０の平面形状は、例えば、円形、楕円形、四角形等、どのような形状であってもよい。また、第二貫通孔２０の大きさは、例えば、ピンの軸や、ねじ等のねじ山を有する軸を通すことができる大きさであって、ピンやねじ等の頭の部分が通らない大きさであればよい。また、第二貫通孔２０に、ねじのねじ山に嵌合するねじ溝を設けるようにし、第二貫通孔２０の大きさを、ねじのねじ山を有する部分と嵌合する大きさとしてもよい。このような構成とすることで、頭のないねじ、いわゆる止めねじ等で、骨固定用プレート１００を固定することも可能となる。第二貫通孔２０の数や、配置は問わない。
【００１４】
なお、骨固定用プレート１００の有する貫通孔の総数は、少なくとも１以上の第一貫通孔１０を有していれば、２以上の何個であってもよい。また、骨固定用プレート１００の有する貫通孔が全て第一貫通孔１０であってもよい。
【００１５】
なお、骨固定用プレート１００が所定の幅のストライプ形状である場合、骨を固定するための作業を考慮すると、３以上の貫通孔が、骨固定用プレート１００の長手方向に向かって配列されており、その貫通孔のうちの両端に配列された貫通孔以外の少なくとも一つ以上の貫通孔が、第一貫通孔１０であることが好ましい。
【００１６】
次に、図４（ａ）および図４（ｂ）、図５（ａ）および図５（ｂ）を用いて、骨固定用プレート１００の使い方について具体的に説明する。
まず、例えば骨折している骨４０を、骨折箇所をあわせた状態で、鉗子４１により把持する（図４（ａ））。そして、骨を把持した状態で、鉗子４１の骨を把持している部分が、開口部１２を通じて、第一貫通孔１０のうちの一つの穴部１１内に配置されるよう、骨固定用プレート１００を骨４０に沿って配置する（図４（ｂ））。
【００１７】
次に、図５（ａ）に示すように、骨固定用プレート１００の、鉗子４１の先端が配置されている第一貫通孔１０を除いた貫通孔、ここでは、２つの第二貫通孔２０を通じて、ドリルを用いて骨４０に穴を開け、その穴に第二貫通孔２０を介してねじ５０をはめて、骨４０と骨固定用プレート１００とをねじ５０で留めて、固定する。なお、第一貫通孔１０の代わりに、鉗子４１の先端が入っていない第一貫通孔１０をねじ５０で留めるようにしてもよい。
【００１８】
さらに、図５（ｂ）に示すように、鉗子４１をはずした後、この鉗子４１が入っていた第一貫通孔１０の穴部１１を通じて骨４０にドリル等で穴をあけ、この穴に、第一貫通孔１０を介してねじ５１をはめて、骨４０と骨固定用プレート１００をねじ５１で留める。これにより、骨４０と骨固定用プレート１００とを、鉗子４１で把持していた部分において、ねじ留めすることが可能となる。
【００１９】
なお、ここでは、第一貫通孔１０の一つのみをねじ５１で留めるようにしたが、他の第一貫通孔１０も、適宜ねじ留めするようにしてもよい。
【００２０】
以上、本実施の形態によれば、骨固定用プレート１００の外周に対して開口している第一貫通孔１０を一以上備えるようにしたことにより、鉗子４１等により骨４０を把持した状態で、鉗子４１等の先端と骨４０とが接する部分が、第一貫通孔１０の開口した部分から、第一貫通孔１０内に配置されるよう、骨固定用プレート１００を骨４０に沿わせて配置することができる。これにより、骨固定用プレート１００を、鉗子４１等の骨４０を把持した部分の両側に渡るように配置することが可能となる。この結果、骨を把持する場所にかかわらず、骨を固定するために最適な位置に骨固定用プレート１００を配置することが可能となり、骨固定用プレート１００を配置する位置の自由度を高くすることができる。
【００２１】
また、鉗子４１等の骨を把持した部分が、骨固定用プレート１００の第一貫通孔１０内に配置されるよう、骨固定用プレート１００を配置することで、この第一貫通孔１０を介して、骨固定用プレート１００を骨４０に対してねじやピン等により留めることが可能となる。これにより、鉗子４１等により骨を把持していた部分において骨固定用プレート１００をねじやピンで留めることが可能となる。したがって、骨固定用プレート１００を骨４０に対して最適と考えられる位置で留めることが可能となる。
【００２２】
また、第一貫通孔１０に開口部１２を設けたことにより、この骨固定用プレート１００を体内に埋め込んだ場合、この開口部１２を通じて骨４０に血液等が流れ込みやすくなる。一般に、血液に触れやすいほど、骨の損傷箇所の治癒する時間が短くなることから、これにより、骨４０への血流が促進され、骨４０の損傷した箇所が治癒する時間を早めることが可能となる。
【００２３】
本発明は、以上の実施の形態に限定されることなく、種々の変更が可能であり、それらも本発明の範囲内に包含されるものであることは言うまでもない。
【産業上の利用可能性】
【００２４】
以上のように、本発明にかかる骨固定用プレートは、骨にねじやピン等で留める骨固定用プレート等として適しており、特に、骨を把持した状態で配置される骨固定用プレート等として有用である。
【図面の簡単な説明】
【００２５】
【図１】本実施の形態に係る骨固定用プレートの平面図
【図２】同斜視図
【図３】同変形例の主要部を示す図
【図４】同使い方を説明する図
【図５】同使い方を説明する図
【符号の説明】
【００２６】
１０、３０  第一貫通孔
１１、３１  穴部
１２、３２  開口部
２０  第二貫通孔
４０  骨
４１  鉗子
５０、５１  ねじ
１００  骨固定用プレート
【図１】
2006346322.tif 000003
【図２】
2006346322.tif 000004
【図３】
2006346322.tif 000005
【図４】
2006346322.tif 000006
【図５】
2006346322.tif 000007